(57)【要約】【課題】キャビネットが設置される床の不陸に対応でき、サイドパネル本体を切断することなく設置可能とし、設置作業の時間を短縮し、また余分な材料を使用することなく、床との間に生じた隙間も覆い隠せる軽量で使い勝手の良いサイドパネル装置を提供することを目的とする。【解決手段】サイドパネル本体９の上方または下方に設置する補助部材１０を備え、前記サイドパネル本体９と前記補助部材１０のいずれか一方に高さを調整する不陸調整装置１２を設け調整で生じた隙間を補助部材１０の側壁１０ｃで覆い隠す構成とすることにより、設置作業が容易で、使い勝手の良いサイドパネル装置となる。【選択図】図１
2005118261.tif 000002
【特許請求の範囲】
【請求項１】
キャビネットの側面に設置されるサイドパネル装置において、少なくとも表面と前記キャビネットの前面に対応する一方の側面を化粧仕上げしたサイドパネル本体と、前記サイドパネル本体の上方または下方に設置する補助部材を備え、前記サイドパネル本体と前記補助部材のいずれか一方に高さを調整する不陸調整装置を設け、調整で生じた隙間を補助部材の側壁で覆い隠す構成のサイドパネル装置。
【請求項２】
前記補助部材に不陸調整装置を備えた請求項１に記載のサイドパネル装置。
【請求項３】
前記サイドパネル本体に不陸調整装置を備えた請求項１に記載のサイドパネル装置。
【請求項４】
不陸調整装置はねじを主構成部材とする請求項１〜３のいずれか一項に記載のサイドパネル装置。
【発明の詳細な説明】
【技術分野】
【０００１】
本発明はシステムキッチン等のキャビネットのオープン側の側面に、設置されるサイドパネル装置に関するものである。
【背景技術】
【０００２】
従来、この種のサイドパネルはキャビネットの高さと同じ高さに設定しており、両面および側面を化粧仕上げした１枚のパネルで構成しており、現地で床の凹凸や傾斜等の不陸状態に合わせて部分的に高さを調整して設置されたキャビネットの側面の設定位置に取り付けられている（例えば、特許文献１参照）。
【０００３】
図７は、従来例のサイドパネルをキャビネットの側面に取り付けたものを、水平状態でない床面に設置し、キャビネットの水平を維持するためにキャビネットの下にかまし板を挿入した状態を示したものである。床面１の不陸を調整するため、床面１とキャビネット２の間にかまし板３を挿入すると、キャビネット２とサイドパネル４は同じ高さ寸法であるため、サイドパネル４は床面１から浮いた状態となり側面から隙間が見える。
【特許文献１】特開２００２―２３３４２５号公報
【発明の開示】
【発明が解決しようとする課題】
【０００４】
しかしながら、前記従来の構成では、キャビネットが設置される床の凹凸や傾斜等の不陸状態に対応するために、かまし板等で調整した場合、サイドパネルの高さ寸法は、床の不陸とは関係なくキャビネットの高さ寸法に合わせた高さ寸法に設定しているため、床との間に生じた隙間を覆い隠せないという課題を有していた。
【０００５】
本発明は、前記従来の課題を解決するもので、キャビネットが設置される床の不陸の有無にかかわらず、サイドパネル本体を切断することなく設置可能とし、設置作業の時間を短縮し、また余分な材料を使用することなく、床との間に生じた隙間も覆い隠せる軽量で使い勝手の良いサイドパネル装置を提供することを目的とする。
【課題を解決するための手段】
【０００６】
前記従来の課題を解決するために、本発明のサイドパネル装置は、少なくとも表面と前記キャビネットの前面に対応する一方の側面を化粧仕上げしたサイドパネル本体と、前記サイドパネル本体の上方または下方に設置する補助部材を備え、前記サイドパネル本体と前記補助部材のいずれか一方に高さを調整する不陸調整装置を設け調整で生じた隙間を補助部材の側壁で覆い隠す構成としたものである。
【０００７】
これによって、サイドパネル装置はキャビネットの上面から床面までの寸法にあわせて不陸調整装置で簡単に調整することができ、しかも、調整で発生したサイドパネル本体と補助部材間に発生する隙間は補助部材の側壁で覆い隠すことができるものである。
【発明の効果】
【０００８】
本発明のサイドパネル装置は、不陸調整装置の簡単な調整作業だけで、凹凸や傾斜等の不陸床面に設置したキャビネットに設置でき、外観の見映えがよく、設置作業が簡単なサイドパネル装置を提供するという効果を有するものである。
【発明を実施するための最良の形態】
【０００９】
第１の発明は、キャビネットの側面に設置されるサイドパネル装置において、少なくとも表面と前記キャビネットの前面に対応する一方の側面を化粧仕上げしたサイドパネル本体と、前記サイドパネル本体の上方または下方に設置する補助部材を備え、前記サイドパネル本体と前記補助部材のいずれか一方に高さを調整する不陸調整装置を設け、調整で生じた隙間を補助部材の側壁で覆い隠す構成とすることにより、サイドパネル装置の高さ寸法をキャビネットの上面から床面までの寸法にあわせて不陸調整装置で容易に調整することができ、しかも調整で発生したサイドパネル本体と補助部材間に発生する隙間は補助部材の側壁で覆い隠すことができることとなり、凹凸や傾斜等の不陸床面に設置したキャビネットに、外観の見映えがよく、設置作業も簡単なサイドパネル装置を提供することができるものである。
【００１０】
第２の発明は、第１の発明の補助部材に不陸調整装置を備えることにより、サイドパネル本体はシンプルな板状の構成とすることができるため、多数の色柄に容易に対応できるという効果を有することができる。
【００１１】
第３の発明は、第１の発明のサイドパネル本体に不陸調整装置を備えることにより、補助部材を床面に設置した状態でサイドパネル本体の不陸調整装置で高さ調整ができるため、より正確に、より簡単に調整ができるものである。
【００１２】
第４の発明は、特に、第１〜３のいずれか１つの発明の不陸調整装置をねじを主構成部材とすることにより、ねじを回すことにより高さを調整することができるため、無段階の調整を容易に、かつ性格に行うことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるサイドパネル装置をキャビネットに設置した状態を示す斜視図であり、図２は同正面図を示すものであり、図３はサイドパネル装置の一部断面詳細を示すものであり、図４は補助部材の外観斜視図を示すものである。
【００１５】
図１、２において、キャビネット５は傾斜面である床面６上に設置されており、キャビネット５の水平を維持するため、キャビネット５と床面６間にはスペーサ７が挿入されている。
【００１６】
キャビネット５の側面には本発明のサイドパネル装置８の上面をキャビネットの上端部５ａにあわせて設置されており、サイドパネル装置８のサイドパネル本体９は表裏両面と上下面と左右両側面は化粧処理が施されている。
【００１７】
図３、図４に示すように、樹脂で一体に形成された補助部材１０は底板面１０ａの前後２箇所にナット１０ｂが埋め込まれており、底板面１０ａの一方の長辺と他方の長辺の要部および一方の短辺に対応する上面外周に沿って側壁１０ｃが一体で形成されており、前記ナット１０ｂにはそれぞれ上面がフラットな皿小ねじ１１が螺合され不陸調整装置１２が構成されている。
【００１８】
以上のように構成されたサイドパネル装置について、以下その動作、作用を説明する。
【００１９】
まず、キャビネット５は水平になるよう調整を行なって設置するため、キャビネット５と床面６の間に隙間が生じる。隙間を隠すべく、補助部材１０を設置する。そして隙間相当分を、不陸調整装置１２の前後２本の皿小ねじ１１を回して高さ調整を行ない、サイドパネル本体９を補助部材１０皿小ねじ１１の上に載置する。そして、キャビネットの庫内よりサイドパネル本体９をねじで取り付けられる。このとき、不陸調整で生じたサイドパネル本体９と補助部材１０間の隙間は補助部材１０の側壁１０ｃで隠蔽している。
【００２０】
以上のように、本実施の形態において、不陸調整装置１２を有した補助部材１０とサイドパネル本体９の２部品で構成とするサイドパネル装置とすることにより、サイドパネル本体９を切断することなく、簡単な不陸調整でサイドパネル装置の高さ寸法を変更することができ、キャビネットの設置作業時間の短縮を図るとともに、サイドパネル装置の外観の見映えの向上と防水対策も行なうことができる。
【００２１】
（実施の形態２）
図５は、本発明の第２の実施の形態におけるサイドパネル装置をキャビネットに設置した状態を示すものであり、図６はサイドパネル装置の一部断面詳細を示すものである。
【００２２】
図５、６においてキャビネット１３は傾斜面である床面１４上に設置されており、キャビネット１３の水平を維持するため、キャビネット１３と床面１４間にはスペーサー１５が挿入されている。
【００２３】
キャビネット１３の側面には本発明のサイドパネル装置１６の上面がキャビネット１３の上端部１３ａに合わせて設置されており、サイドパネル装置１６のサイドパネル本体１７は表裏両面と上下面と左右両側面は化粧処理が施されている。
【００２４】
図６に示すように一体に形成された補助部材１８は、下方にサイドパネル本体１７と嵌合する下面１８ａの前後２箇所にナット１８ｂが埋め込まれており、下面１８ａの一方の長辺と他方の長辺の要部および一方の短辺に対応する下面外周に沿って側壁１８ｃが一体で形成されており、前記ナット１８ｂにはそれぞれ上面がフラットな皿小ねじ１９が螺合され不陸調整装置２０が構成されている。
【００２５】
以上のように構成されたサイドパネル装置について、以下その動作、作用を説明する。
【００２６】
まず、キャビネット１３は水平になるよう調整を行なって設置するため、キャビネット１３と床面１４の間に隙間が生じる。隙間を隠すべく、サイドパネル本体１７を設置する。そして隙間相当分を、不陸調整装置２０の前後２本の皿小ねじ１９を回して高さ調整を行ない、サイドパネル本体１７の上面に補助部材１８の皿小ねじ１９フラット面をあて補助部材１８を載置する。そして、キャビネットの庫内よりサイドパネル本体１７をねじで取り付けられる。このとき、不陸調整で生じたサイドパネル本体１７と補助部材１８間の隙間は補助部材１８の側壁１８ｃで隠蔽している。
【００２７】
以上のように、本実施の形態において、不陸調整装置２０を有した補助部材１８とサイドパネル本体１７の２部品で構成とするサイドパネル装置とすることにより、サイドパネル本体１７を切断することなく、簡単な不陸調整でサイドパネル装置の高さ寸法を変更することができ、キャビネットの設置作業時間の短縮を図るとともに、サイドパネル装置の外観の見映えの向上を図ることができる。
【産業上の利用可能性】
【００２８】
以上のように、本発明にかかるサイドパネル装置は、簡単な調整作業で、床の不陸に対応できるので、床置き型のシステム家具等の用途にも適用できる。
【図面の簡単な説明】
【００２９】
【図１】本発明の実施の形態１におけるサイドパネル装置の設置状態を示す斜視図
【図２】本発明の実施の形態１におけるサイドパネル装置の設置状態を示す正面図
【図３】本発明の実施の形態１におけるサイドパネル装置の断面詳細図
【図４】本発明の実施の形態１におけるサイドパネル装置の補助部材の斜視図
【図５】本発明の実施の形態２におけるサイドパネル装置の斜視図
【図６】本発明の実施の形態２におけるサイドパネル装置の断面詳細図
【図７】従来のサイドパネルの設置状態を示す斜視図
【符号の説明】
【００３０】
５、１２  キャビネット
８、１６  サイドパネル装置
９、１７  サイドパネル本体
１０、１８  補助部材
１２、２０  不陸調整装置
【図１】
2005118261.tif 000003
【図２】
2005118261.tif 000004
【図３】
2005118261.tif 000005
【図４】
2005118261.tif 000006
【図５】
2005118261.tif 000007
【図６】
2005118261.tif 000008
【図７】
2005118261.tif 000009